【手続補正書】
【提出日】平成20年2月27日(2008.2.27)
【手続補正１】
【補正対象書類名】明細書
【補正対象項目名】特許請求の範囲
【補正方法】変更
【補正の内容】
【特許請求の範囲】
【請求項１】  絶縁性基板上に形成された走査線と、
前記走査線と並行に形成された蓄積容量線と、
前記走査線および前記蓄積容量線と絶縁膜を介して交差して形成された映像信号線と、
前記走査線、前記蓄積容量線および前記映像信号線とに囲まれた画素電極と、
を備えた表示装置であって、
１画素内における前記蓄積容量線と前記映像信号線との交差部以外の領域において、前記蓄積容量線と前記映像信号線とが重なる領域を有することを特徴とする表示装置。
【請求項２】  前記１画素内における前記蓄積容量線と前記映像信号線との交差部以外の領域において、前記蓄積容量線と前記映像信号線とが重なる領域は、前記蓄積容量線から前記画素電極の周囲の一辺に沿って延在された蓄積容量線の延長部と前記映像信号線とにより形成されることを特徴とする請求項１記載の表示装置。
【請求項３】  前記蓄積容量線または蓄積容量線の延長部と前記映像信号線とが重なる領域は、１画素内において少なくとも２箇所以上形成されることを特徴とする請求項１または２記載の表示装置。
【請求項４】  前記蓄積容量線または蓄積容量線の延長部と前記映像信号線とが重なる領域は、少なくとも４μｍ×１０μｍ以上の面積を有することを特徴とする請求項１乃至３のいずれかに記載の表示装置。
【請求項５】  絶縁性基板上に形成された走査線と、
前記走査線と並行に形成された蓄積容量線と、
前記走査線および前記蓄積容量線と絶縁膜を介して交差して形成された映像信号線と、
前記走査線、前記蓄積容量線および前記映像信号線とに囲まれた画素電極と、
を備えた表示装置の製造方法であって、
１画素内における前記蓄積容量線と前記映像信号線との交差部以外の領域において、前記蓄積容量線と前記映像信号線とが重なる領域を形成する工程を含むことを特徴とする表示装置の製造方法。
【請求項６】  前記１画素内における蓄積容量線と前記映像信号線との交差部以外の領域において、前記蓄積容量線と前記映像信号線とが重なる領域を形成する工程は、前記蓄積容量線から前記画素電極の周囲の一辺に沿って延在された蓄積容量線の延長部と前記映像信号線とが重なる領域を形成する工程を含むことを特徴とする請求項５記載の表示装置の製造方法。
【請求項７】  前記蓄積容量線または蓄積容量線の延長部と前記映像信号線とが重なる領域を形成する工程は、１画素内において前記蓄積容量線または蓄積容量線の延長部と前記映像信号線とが重なる領域を少なくとも２箇所以上形成する工程を含むことを特徴とする請求項５または６記載の表示装置の製造方法。
【請求項８】  前記蓄積容量線または蓄積容量線の延長部と前記映像信号線とが重なる領域を形成する工程は、前記蓄積容量線または蓄積容量線の延長部と前記映像信号線とが重なる領域において、少なくとも４μｍ×１０μｍ以上の重なり部を形成する工程を含むことを特徴とする請求項５乃至７のいずれかに記載の表示装置の製造方法。
【請求項９】  絶縁性基板上に形成された走査線と、
前記走査線と並行に形成された蓄積容量線と、
前記走査線および前記蓄積容量線と絶縁膜を介して交差して形成された映像信号線と、
前記走査線、前記蓄積容量線および前記映像信号線とに囲まれた画素電極と、
を備えた表示装置の断線修復方法であって、
１画素内における前記蓄積容量線と前記映像信号線との交差部以外の領域において、前記蓄積容量線から前記画素電極の周囲の一辺に沿って延在された蓄積容量線の延長部と前記映像信号線とが重なる領域を形成する工程と、
前記蓄積容量線の延長部と前記映像信号線とが重なる領域において、前記蓄積容量線の延長部と前記映像信号線とを接続する工程と、
前記蓄積容量線の延長部と前記映像信号線とが接続された領域のうち、前記蓄積容量線と最も近接した領域と、前記蓄積容量線との間を切断する工程と、
を含むことを特徴とする表示装置の断線修復方法。
【請求項１０】  前記蓄積容量線の延長部と前記映像信号線とが重なる領域を形成する工程は、１画素内において前記蓄積容量線の延長部と前記映像信号線とが重なる領域を少なくとも２箇所以上形成する工程を含むことを特徴とする請求項９記載の表示装置の断線修復方法。
【請求項１１】  前記蓄積容量線の延長部と前記映像信号線とが重なる領域において、前記蓄積容量線の延長部と前記映像信号線とを接続する工程は、レーザ照射により前記蓄積容量線の延長部と前記映像信号線とを接続する工程を含むことを特徴とする請求項９または１０記載の表示装置の断線修復方法。
【請求項１２】  前記蓄積容量線の延長部と前記映像信号線とが接続された領域のうち、前記蓄積容量線と最も近接した領域と、前記蓄積容量線との間を切断する工程は、レーザ照射により、前記蓄積容量線の延長部と前記映像信号線とが接続された領域のうち、前記蓄積容量線と最も近接した領域と、前記蓄積容量線との間を切断する工程を含むことを特徴とする請求項９乃至１１のいずれかに記載の表示装置の断線修復方法。
【請求項１３】  前記蓄積容量線の延長部と前記映像信号線とが接続された領域のうち、前記蓄積容量線と最も近接した領域と、前記蓄積容量線との間を切断する工程を、
前記蓄積容量線の延長部と前記映像信号線とが接続された領域のうち、前記蓄積容量線と最も近接した領域と、前記蓄積容量線との間を含み、かつ前記蓄積容量線と並行に、前記画素電極と該画素電極の周囲の一辺と対向する辺に沿って延在された蓄積容量線の延長部とを切断する工程に置き換えたことを特徴とする請求項９記載の表示装置の断線修復方法。
【請求項１４】  前記蓄積容量線の延長部と前記映像信号線とが接続された領域のうち、前記蓄積容量線と最も近接した領域と、前記蓄積容量線との間を含み、かつ前記蓄積容量線と並行に、前記画素電極と該画素電極の周囲の一辺と対向する辺に沿って延在された蓄積容量線の延長部とを切断する工程は、レーザ照射により、前記蓄積容量線の延長部と前記映像信号線とが接続された領域のうち、前記蓄積容量線と最も近接した領域と、前記蓄積容量線との間を含み、かつ前記蓄積容量線と並行に、前記画素電極と該画素電極の周囲の一辺と対向する辺に沿って延在された蓄積容量線の延長部とを切断する工程を含むことを特徴とする請求項１３記載の表示装置の断線修復方法。
【手続補正２】
【補正対象書類名】明細書
【補正対象項目名】０００７
【補正方法】変更
【補正の内容】
【０００７】
【課題を解決するための手段】
本発明の第１の表示装置は、絶縁性基板上に形成された走査線と、前記走査線と並行に形成された蓄積容量線と、前記走査線および前記蓄積容量線と絶縁膜を介して交差して形成された映像信号線と、前記走査線、前記蓄積容量線および前記映像信号線とに囲まれた画素電極とを備えた表示装置であって、１画素内における前記蓄積容量線と前記映像信号線との交差部以外の領域において、前記蓄積容量線と前記映像信号線とが重なる領域を有することを特徴とするものである。
【手続補正３】
【補正対象書類名】明細書
【補正対象項目名】００１１
【補正方法】変更
【補正の内容】
【００１１】
本発明の第１の表示装置の製造方法は、絶縁性基板上に形成された走査線と、前記走査線と並行に形成された蓄積容量線と、前記走査線および前記蓄積容量線と絶縁膜を介して交差して形成された映像信号線と、前記走査線、前記蓄積容量線および前記映像信号線とに囲まれた画素電極とを備えた表示装置の製造方法であって、１画素内における前記蓄積容量線と前記映像信号線との交差部以外の領域において、前記蓄積容量線と前記映像信号線とが重なる領域を形成する工程を含むことを特徴とするものである。
【手続補正４】
【補正対象書類名】明細書
【補正対象項目名】００１５
【補正方法】変更
【補正の内容】
【００１５】
本発明の第１の表示装置の断線修復方法は、絶縁性基板上に形成された走査線と、前記走査線と並行に形成された蓄積容量線と、前記走査線および前記蓄積容量線と絶縁膜を介して交差して形成された映像信号線と、前記走査線、前記蓄積容量線および前記映像信号線とに囲まれた画素電極とを備えた表示装置の断線修復方法であって、１画素内における前記蓄積容量線と前記映像信号線との交差部以外の領域において、前記蓄積容量線から前記画素電極の周囲の一辺に沿って延在された蓄積容量線の延長部と前記映像信号線とが重なる領域を形成する工程と、前記蓄積容量線の延長部と前記映像信号線とが重なる領域において、前記蓄積容量線の延長部と前記映像信号線とを接続する工程と、前記蓄積容量線の延長部と前記映像信号線とが接続された領域のうち、前記蓄積容量線と最も近接した領域と、前記蓄積容量線との間を切断する工程とを含むことを特徴とするものである。
【手続補正５】
【補正対象書類名】明細書
【補正対象項目名】００４４
【補正方法】変更
【補正の内容】
【００４４】
【発明の効果】
本発明の第１の表示装置は、絶縁性基板上に形成された走査線と、前記走査線と並行に形成された蓄積容量線と、前記走査線および前記蓄積容量線と絶縁膜を介して交差して形成された映像信号線と、前記走査線、前記蓄積容量線および前記映像信号線とに囲まれた画素電極とを備えた表示装置であって、１画素内における前記蓄積容量線と前記映像信号線との交差部以外の領域において、前記蓄積容量線と前記映像信号線とが重なる領域を有することを特徴としているので、製造工程を増加させることなく、映像信号線の断線を修復することが可能となる。
【手続補正６】
【補正対象書類名】明細書
【補正対象項目名】００４８
【補正方法】変更
【補正の内容】
【００４８】
本発明の第１の表示装置の製造方法は、絶縁性基板上に形成された走査線と、前記走査線と並行に形成された蓄積容量線と、前記走査線および前記蓄積容量線と絶縁膜を介して交差して形成された映像信号線と、前記走査線、前記蓄積容量線および前記映像信号線とに囲まれた画素電極とを備えた表示装置の製造方法であって、１画素内における前記蓄積容量線と前記映像信号線との交差部以外の領域において、前記蓄積容量線と前記映像信号線とが重なる領域を形成する工程を含むことを特徴としているので、製造工程を増加させることなく、映像信号線の断線を修復可能な表示装置を得ることができる。
【手続補正７】
【補正対象書類名】明細書
【補正対象項目名】００５２
【補正方法】変更
【補正の内容】
【００５２】
本発明の第１の表示装置の断線修復方法は、絶縁性基板上に形成された走査線と、前記走査線と並行に形成された蓄積容量線と、前記走査線および前記蓄積容量線と絶縁膜を介して交差して形成された映像信号線と、前記走査線、前記蓄積容量線および前記映像信号線とに囲まれた画素電極とを備えた表示装置の断線修復方法であって、１画素内における前記蓄積容量線と前記映像信号線との交差部以外の領域において、前記蓄積容量線から前記画素電極の周囲の一辺に沿って延在された蓄積容量線の延長部と前記映像信号線とが重なる領域を形成する工程と、前記蓄積容量線の延長部と前記映像信号線とが重なる領域において、前記蓄積容量線の延長部と前記映像信号線とを接続する工程と、前記蓄積容量線の延長部と前記映像信号線とが接続された領域のうち、前記蓄積容量線と最も近接した領域と、前記蓄積容量線との間を切断する工程とを含むことを特徴としているので、製造工程を増加させることなく、映像信号線と蓄積容量線との短絡を防止し、映像信号線の断線を修復可能な表示装置を得ることができる。